(57)【要約】【課題】インダクター用コア及びボビンの改良構造の提供。【解決手段】インダクター用コア及びボビンの改良構造であり、主にはコア中央に中柱が設けられ、その中柱の周囲に溝を置き、且つ溝の外縁に自然に側壁を形成させ、各角だけに小さな面積のノッチを設ける。また、それに配合するボビン中央に中穴を設け、その中穴の外周に、コイルを巻きつけるワイヤ溝を設置する。且つ、ボビンの各角には、それぞれ突出したワイヤ台を設ける。各ワイヤ台の上縁にはまた、同じ側に向いた半田ピンが設置され、それぞれがコイルから引き出されたワイヤ先端に接続される。そのコアの中柱により、ボビンの中穴内にはめ込み、また、溝にボビンを収納し、ボビンの各ワイヤ台は、コアの各ノッチから外へ出すことができる。周囲のコイルに対する完全な覆う側壁を利用し、磁気漏れを低下させ、インダクターの効率を高める。【選択図】図４
0003119986.tif 000002
【実用新案登録請求の範囲】
【請求項１】
インダクター用コア及びボビンの改良構造において、コア及びボビンを包括する。そのコア中央に中柱が設けられ、その中柱周囲に溝を配置する。ボビン中央に中穴を設け、その中穴の外縁はコイルで取り巻かれている。二つのコアは中柱で互いにボビンの中穴にはめ込まれ、ボビンは溝内に納められている。
コアの置かれた溝の外縁に周囲を取り囲む側壁が設けられ、且つ、その側壁の各端角にノッチを設ける。そしてボビンの各端角に突出したワイヤ台を設け、側壁の各ノッチから外へ出して、その側壁はボビン周縁を取り囲んで完全な四面の覆いを形成することを特徴とするインダクター用コア及びボビンの改良構造。
【請求項２】
請求項１で述べたインダクター用コア及びボビンの改良構造において、その中のボビンの各ワイヤ台上に複数の半田ピンが設置され、コイルから引き出されたワイヤ先端の接続を提供することを特徴とするインダクター用コア及びボビンの改良構造。
【考案の詳細な説明】
【技術分野】
【０００１】
本考案はコアがコイルを覆う面積を効果的に増加し、磁気漏れを低下させ、且つ、インダクター装置の効率を高めたコア構造に関する。
【背景技術】
【０００２】
従来のインダクターや変圧器のコア構造の伝統的なものは第１図に示すように、そのコア５は主にＥ字型を呈し、且つ中央と二つの端に同じ側の突出した中柱５１、側柱５３が分かれて設けられ、その中柱５１と二つの側柱５３の間に、凹型の中空部５２が設けられている。そしてボビン６は前記のコア５と配合され、組み合わされてインダクターや変圧器となる。そのボビン６の中央には中穴６１が設けられ、その中穴６１の外周にはコイル６２１が巻かれる用のワイヤ溝６２がある。且つ、ボビン６の一端にはコイル６２１を引出したワイヤ先端の半田ピン６３が分かれて設置されている。二つのコア５の中柱５１は、ボビン６の中穴６１内に入れた後、互いに接触させる。また中空部５２にそれぞれ中穴６１周辺のコイル６２１に入れる。この時二つのコア５の各側柱５３は、コイル６２１の二つの外側に、中柱５１と配合してコイル６２１の内側に、一つの磁気回路を形成する。しかし、上記のタイプのインダクターや変圧器の構造は、そのコア５の側柱５３を覆う面積が極めて小さく、極大部分のコイル６２１は外部に露出しているため、変圧器の磁気漏れをひどくさせ、効率を上げるのは難しい。
【０００３】
比較的進歩したものは、別途第２、３図に示すような構造で、そのボビン４の中央には中穴４１が設けられ、その中穴４１の外周には、コイル４２１が巻かれる用のワイヤ溝４２が設けられている。且つボビン４の一端には、二つに分かれた延伸部４３１が設けられ、それぞれが二つのバス４３２の中段に接続されている。そしてその二つのバス４３２上には、コイル４２１のワイヤ先端を引き出す半田ピン４３が分かれて設置されている。そしてそのコア３の中央に中柱３１が設置され、その中柱３１の周囲に溝道３２が設けられている。且つその溝道３２の両側それぞれに外に通じる側面中空部３３１が設けられ、その溝道３２の外縁の他の部分を、自然に二つの対応した側壁３３を形成させる。組合わせた時、二つのコア３の中柱３１がボビン４の中穴４１内に入り、互いに接触する。並びに溝道３２にワイヤ溝４２（コイル４２１）を置くと、二つの延伸部４３１はコア３の側面中空部３３１部分から外へ伸び出し、各バス４３２、半田ピン４３をコア３の外部の位置に保持させる。そのコア３の側壁３３が中柱３１と組み合わさる事で、ワイヤ溝４２１の周辺に磁気回路を形成する。しかし、この種のインダクターや変圧器の構造は、上記の従来型のインダクターや変圧器の構造と比べると、大きな面積(二対面)のコアを覆えるが、大きな中空面積を持つ側面中空部３３１が、コイル４２１を外部に露出させており、そのインダクターや変圧器の磁気漏れと効率は、まだアップできる空間がある。
【考案の開示】
【考案が解決しようとする課題】
【０００４】
本考案の主旨は、インダクター用コア及びボビンの改良構造を提供するものである。その主要部分は、コア中央に中柱が設けられ、その中柱の周囲に溝を置き、且つ溝の外縁に自然に側壁を形成させ、各角だけに小さな面積のノッチを設ける。また、それに配合するボビン中央に中穴を設け、その中穴の外周に、コイルを巻きつけるワイヤ溝を設置する。且つ、ボビンの各角には、それぞれ突出したワイヤ台を設ける。各ワイヤ台の上縁にはまた、同じ側に向いた半田ピンが設置され、それぞれがコイルから引き出されたワイヤ先端に接続される。そのコアの中柱により、ボビンの中穴内にはめ込み、また、溝にボビンを収納し、ボビンの各ワイヤ台は、コアの各ノッチから外へ出すことができる。周囲のコイルに対する完全な覆う側壁を利用し、磁気漏れを低下させ、インダクターの効率アップする事ができ、これこそが本考案の主要目的である。
【課題を解決するための手段】
【０００５】
請求項１の考案は、インダクター用コア及びボビンの改良構造において、コア及びボビンを包括する。そのコア中央に中柱が設けられ、その中柱周囲に溝を配置する。ボビン中央に中穴を設け、その中穴の外縁はコイルで取り巻かれている。二つのコアは中柱で互いにボビンの中穴にはめ込まれ、ボビンは溝内に納められている。
コアの置かれた溝の外縁に周囲を取り囲む側壁が設けられ、且つ、その側壁の各端角にノッチを設ける。そしてボビンの各端角に突出したワイヤ台を設け、側壁の各ノッチから外へ出して、その側壁はボビン周縁を取り囲んで完全な４面の覆いを形成することを特徴とするインダクター用コア及びボビンの改良構造としている。
請求項２の考案は、請求項１で述べたインダクター用コア及びボビンの改良構造において、その中のボビンの各ワイヤ台上に複数の半田ピンが設置され、コイルから引き出されたワイヤ先端の接続を提供することを特徴とするインダクター用コア及びボビンの改良構造としている。
【考案の効果】
【０００６】
本考案のインダクター用コア及びボビンの改良構造には、確実に磁気漏れを低下させ、変圧器の効率をアップさせることができる。
【考案を実施するための最良の形態】
【０００７】
第１、２及び３図に示すように、従来の各種インダクターや変圧器のコア、ボビン構造である。
【０００８】
第４図は本考案の構造の分解図で、その図からはっきりとわかるように、本考案が主に包括するものは、コア1とボビン２等の二つの部分である。その内、そのコア１の中央に中柱１１が設けられ、その中柱１１の周囲に溝１２が設けられている。且つ溝１２の外縁が自然に取り囲んで周囲の側壁１３を形成する。また、側壁１３の各端の角に小さな面積の中空のノッチ１３１が設けられている。そしてボビン２の中央には中穴２１が設けられ、その中穴２１の外縁にコイル２２１が巻かれる用のワイヤ溝２２が設けられる。且つボビン２の各端の角には、それぞれ突出したワイヤ台２３が設けられ、各ワイヤ台２３上の同じ側に半田ピン２３１が延び出している。それぞれがコイル２２１から引き出されたワイヤ先端に接続されている。
【０００９】
第５図は本考案の全体的な組合せの見取り図である。その図に示すように、組合せ時には二つのコア１を利用し、互いに中柱１１をボビン２の中穴２１内に入れて互いに接触させる。並びに二つの溝１２でボビン２を収納し、且つ各ワイヤ台２３は、各ノッチ１３１から外に出ている。コア１の側壁１３がボビン２のコイル２２１の周囲を完全に取り巻いて覆いを形成する(ノッチ１３１の小さな面積が外部に露出しているだけである)。従来の構造と比べると、そのインダクターや変圧器の磁気漏れと効率は明らかにアップしている。
【図面の簡単な説明】
【００１０】
【図１】従来のインダクター用コア、及び関連部品の見取り図である。
【図２】別の従来のインダクター用コア、及び関連部品の構造分解図である。
【図３】他の従来のインダクター用コア、及び関連部品の組合せ図である。
【図４】本考案の構造分解図である。
【図５】本考案の全体組合せ図である。
【符号の説明】
【００１１】
１、３、５  コア
１２  溝
１３１  ノッチ
２１、４１、６１  中穴
２２１、４２１、６２１  コイル
２３１、４３、６３  半田ピン
３３  側壁
４３１  延伸部
５２  中空部
１１、３１、５１  中柱
１３  周囲側壁
２、４、６  ボビン
２２、４２、６２  ワイヤ溝
２３  ワイヤ台
３２  溝道
３３１  側面中空部
４３２  バス
５３  側柱
【図１】
0003119986.tif 000003
【図２】
0003119986.tif 000004
【図３】
0003119986.tif 000005
【図４】
0003119986.tif 000006
【図５】
0003119986.tif 000007
【手続補正書】
【提出日】平成18年1月18日(2006.1.18)
【手続補正１】
【補正対象書類名】実用新案登録請求の範囲
【補正対象項目名】全文
【補正方法】変更
【補正の内容】
【実用新案登録請求の範囲】
【請求項１】
インダクター用コア及びボビンの構造において、コア及びボビンを包括する、そのコア中央に中柱が設けられ、その中柱周囲に溝を配置する、ボビン中央に中穴を設け、その中穴の外縁はコイルで取り巻かれている、二つのコアは中柱で互いにボビンの中穴にはめ込まれ、ボビンは溝内に納められている、コアの置かれた溝の外縁に周囲を取り囲む側壁が設けられ、且つ、その側壁の各端角にノッチを設ける、そしてボビンの各端角に突出したワイヤ台を設け、側壁の各ノッチから外へ出して、その側壁はボビン周縁を取り囲んで完全な四面の覆いを形成することを特徴とするインダクター用コア及びボビンの構造。
【請求項２】
請求項１で述べたインダクター用コア及びボビンの構造において、その中のボビンの各ワイヤ台上に複数の半田ピンが設置され、コイルから引き出されたワイヤ先端の接続を提供することを特徴とするインダクター用コア及びボビンの構造。
【手続補正２】
【補正対象書類名】明細書
【補正対象項目名】全文
【補正方法】変更
【補正の内容】
【考案の詳細な説明】
【技術分野】
【０００１】  本考案はコアがコイルを覆う面積を効果的に増加し、磁気漏れを低下させ、且つ、インダクター装置の効率を高めたコア構造に関する。
【背景技術】
【０００２】  従来のインダクターや変圧器のコア構造の伝統的なものは第１図に示すように、そのコア５は主にＥ字型を呈し、且つ中央と二つの端に同じ側の突出した中柱５１、側柱５３が分かれて設けられ、その中柱５１と二つの側柱５３の間に、凹型の中空部５２が設けられている。そしてボビン６は前記のコア５と配合され、組み合わされてインダクターや変圧器となる。そのボビン６の中央には中穴６１が設けられ、その中穴６１の外周にはコイル６２１が巻かれる用のワイヤ溝６２がある。且つ、ボビン６の一端にはコイル６２１を引出したワイヤ先端の半田ピン６３が分かれて設置されている。二つのコア５の中柱５１は、ボビン６の中穴６１内に入れた後、互いに接触させる。また中空部５２にそれぞれ中穴６１周辺のコイル６２１に入れる。この時二つのコア５の各側柱５３は、コイル６２１の二つの外側に、中柱５１と配合してコイル６２１の内側に、一つの磁気回路を形成する。しかし、上記のタイプのインダクターや変圧器の構造は、そのコア５の側柱５３を覆う面積が極めて小さく、極大部分のコイル６２１は外部に露出しているため、変圧器の磁気漏れをひどくさせ、効率を上げるのは難しい。【０００３】  比較的進歩したものは、別途第２、３図に示すような構造で、そのボビン４の中央には中穴４１が設けられ、その中穴４１の外周には、コイル４２１が巻かれる用のワイヤ溝４２が設けられている。且つボビン４の一端には、二つに分かれた延伸部４３１が設けられ、それぞれが二つのバス４３２の中段に接続されている。そしてその二つのバス４３２上には、コイル４２１のワイヤ先端を引き出す半田ピン４３が分かれて設置されている。そしてそのコア３の中央に中柱３１が設置され、その中柱３１の周囲に溝道３２が設けられている。且つその溝道３２の両側それぞれに外に通じる側面中空部３３１が設けられ、その溝道３２の外縁の他の部分を、自然に二つの対応した側壁３３を形成させる。組合わせた時、二つのコア３の中柱３１がボビン４の中穴４１内に入り、互いに接触する。並びに溝道３２にワイヤ溝４２（コイル４２１）を置くと、二つの延伸部４３１はコア３の側面中空部３３１部分から外へ伸び出し、各バス４３２、半田ピン４３をコア３の外部の位置に保持させる。そのコア３の側壁３３が中柱３１と組み合わさる事で、ワイヤ溝４２１の周辺に磁気回路を形成する。しかし、この種のインダクターや変圧器の構造は、上記の従来型のインダクターや変圧器の構造と比べると、大きな面積(二対面)のコアを覆えるが、大きな中空面積を持つ側面中空部３３１が、コイル４２１を外部に露出させており、そのインダクターや変圧器の磁気漏れと効率は、まだアップできる空間がある。
【考案の開示】
【考案が解決しようとする課題】
【０００４】  本考案の主旨は、インダクター用コア及びボビンの構造を提供するものである。その主要部分は、コア中央に中柱が設けられ、その中柱の周囲に溝を置き、且つ溝の外縁に自然に側壁を形成させ、各角だけに小さな面積のノッチを設ける。また、それに配合するボビン中央に中穴を設け、その中穴の外周に、コイルを巻きつけるワイヤ溝を設置する。且つ、ボビンの各角には、それぞれ突出したワイヤ台を設ける。各ワイヤ台の上縁にはまた、同じ側に向いた半田ピンが設置され、それぞれがコイルから引き出されたワイヤ先端に接続される。そのコアの中柱により、ボビンの中穴内にはめ込み、また、溝にボビンを収納し、ボビンの各ワイヤ台は、コアの各ノッチから外へ出すことができる。周囲のコイルに対する完全な覆う側壁を利用し、磁気漏れを低下させ、インダクターの効率アップする事ができ、これこそが本考案の主要目的である。
【課題を解決するための手段】
【０００５】  請求項１の考案は、インダクター用コア及びボビンの構造において、コア及びボビンを包括する、そのコア中央に中柱が設けられ、その中柱周囲に溝を配置する、ボビン中央に中穴を設け、その中穴の外縁はコイルで取り巻かれている、二つのコアは中柱で互いにボビンの中穴にはめ込まれ、ボビンは溝内に納められている、  コアの置かれた溝の外縁に周囲を取り囲む側壁が設けられ、且つ、その側壁の各端角にノッチを設ける、そしてボビンの各端角に突出したワイヤ台を設け、側壁の各ノッチから外へ出して、その側壁はボビン周縁を取り囲んで完全な四面の覆いを形成することを特徴とするインダクター用コア及びボビンの構造としている。  請求項２の考案は、請求項１で述べたインダクター用コア及びボビンの構造において、その中のボビンの各ワイヤ台上に複数の半田ピンが設置され、コイルから引き出されたワイヤ先端の接続を提供することを特徴とするインダクター用コア及びボビンの構造としている。
【考案の効果】
【０００６】  本考案のインダクター用コア及びボビンの構造には、確実に磁気漏れを低下させ、変圧器の効率をアップさせることができる。
【考案を実施するための最良の形態】
【０００７】  第１、２及び３図に示すように、従来の各種インダクターや変圧器のコア、ボビン構造である。【０００８】  第４図は本考案の構造の分解図で、その図からはっきりとわかるように、本考案が主に包括するものは、コア1とボビン２等の二つの部分である。その内、そのコア１の中央に中柱１１が設けられ、その中柱１１の周囲に溝１２が設けられている。且つ溝１２の外縁が自然に取り囲んで周囲の側壁１３を形成する。また、側壁１３の各端の角に小さな面積の中空のノッチ１３１が設けられている。そしてボビン２の中央には中穴２１が設けられ、その中穴２１の外縁にコイル２２１が巻かれる用のワイヤ溝２２が設けられる。且つボビン２の各端の角には、それぞれ突出したワイヤ台２３が設けられ、各ワイヤ台２３上の同じ側に半田ピン２３１が延び出している。それぞれがコイル２２１から引き出されたワイヤ先端に接続されている。【０００９】  第５図は本考案の全体的な組合せの見取り図である。その図に示すように、組合せ時には二つのコア１を利用し、互いに中柱１１をボビン２の中穴２１内に入れて互いに接触させる。並びに二つの溝１２でボビン２を収納し、且つ各ワイヤ台２３は、各ノッチ１３１から外に出ている。コア１の側壁１３がボビン２のコイル２２１の周囲を完全に取り巻いて覆いを形成する(ノッチ１３１の小さな面積が外部に露出しているだけである)。従来の構造と比べると、そのインダクターや変圧器の磁気漏れと効率は明らかにアップしている。
【図面の簡単な説明】
【００１０】
【図１】従来のインダクター用コア、及び関連部品の見取り図である。
【図２】別の従来のインダクター用コア、及び関連部品の構造分解図である。
【図３】他の従来のインダクター用コア、及び関連部品の組合せ図である。
【図４】本考案の構造分解図である。
【図５】本考案の全体組合せ図である。
【符号の説明】
【００１１】１、３、５  コア１２  溝１３１  ノッチ２１、４１、６１  中穴２２１、４２１、６２１ コイル２３１、４３、６３  半田ピン３３  側壁４３１  延伸部５２  中空部１１、３１、５１  中柱１３  周囲側壁２、４、６  ボビン２２、４２、６２  ワイヤ溝２３  ワイヤ台３２  溝道３３１  側面中空部４３２  バス５３  側柱